(57)【要約】【課題】建築現場での壁パネルどうしのボルトによる接合作業が不要となる接合壁パネルおよび接合壁パネルの結合構造を提供する。【解決手段】接合壁パネル２を、予め、隣り合う壁パネル７，８間に、該壁パネル７，８の高さ方向に延在する構造材１０が設けられ、隣り合う壁パネル７，８の側端面を形成する框材７ａ，８ａどうしが、該框材７ａ，８ａおよび構造材１０を貫通するボルト１２によって結合された構成としたので、建築現場での壁パネルどうしのボルトによる接合作業が不要となる。【選択図】図２
2010255235.tif 000002
【特許請求の範囲】
【請求項１】
框材を矩形枠状に組み立ててなる矩形枠の両面に面材が取り付けられた壁パネルどうしを予め横方向に接合してなる接合壁パネルにおいて、
隣り合う壁パネルの側端面を形成する框材どうしが、該框材を貫通するボルトによって結合されていることを特徴とする接合壁パネル。 
【請求項２】
請求項１に記載の接合壁パネルにおいて、
隣り合う前記壁パネル間に、該壁パネルの高さ方向に延在する構造材が設けられており、
隣り合う壁パネルの側端面を形成する框材どうしが、該框材および前記構造材を貫通するボルトによって結合されていることを特徴とする接合壁パネル。 
【請求項３】
請求項２に記載の接合壁パネルにおいて、
前記構造材の上端面を、前記隣り合う壁パネルのうちの少なくともいずれか一方の壁パネルの上端面より低くすることによって、前記構造材の上端面に、梁を受ける梁受部が設けられていることを特徴とする接合壁パネル。 
【請求項４】
請求項１〜３のいずれか一項に記載の接合壁パネルにおいて、
上端面に、上辺部を屋根勾配に合せて傾斜面とした三角形状の屋切パネルが取り付けられていることを特徴とする接合壁パネル。  
【請求項５】
請求項１〜４のいずれか一項に記載の接合壁パネルを、建物の躯体に結合する接合壁パネルの結合構造において、
前記躯体を構成する壁パネルに、前記接合壁パネルがその表面を前記壁パネルの表面と面一にして結合されており、
前記接合壁パネルに前記躯体を構成する他の壁パネルが直角に結合されており、
前記接合壁パネルの、前記他の壁パネルが直角に結合された部位より、前記壁パネルと反対側の部分が突出壁を構成していることを特徴とする接合壁パネルの結合構造。
【発明の詳細な説明】
【技術分野】
【０００１】
本発明は、壁パネルどうしを接合した接合壁パネルおよび接合壁パネルの結合構造に関する。
【背景技術】
【０００２】
壁や床、屋根といった構成要素を予め工場にてパネル化しておき、建物の建築現場でこれらのパネルを組み立てることにより、建物を構築するといったパネル工法が知られている。
壁を構成する壁パネルは、框材を矩形枠状に組み立ててなる矩形枠の内部に必要に応じて補強桟材を縦横に組み付け、さらに矩形枠の両面に合板等からなる面材を取り付けたものである。
このような壁パネルを建築現場で接合する場合、隣り合う壁パネルの縦框材で構成される側端面どうしを接着剤で接着するとともに、一方の壁パネルの面材から框材を通して他方の壁パネルの框材まで釘を斜めに打ち込むことによって行っている。
【０００３】
ところで、建物の躯体から突出する袖壁等の突出壁を、例えば複数の壁パネルを接合して形成する場合、強度確保のために、壁パネルどうしを接着剤や釘打ちに加えて、ボルトによっても接合している。
また、壁パネルで構成された突出壁を、躯体を構成する他の壁パネルに接合する場合も、壁パネルどうしを接着剤や釘打ちに加えて、ボルトによっても接合している。
さらに、突出壁以外の外壁においても、接合強度を充分に確保する必要がある場合、壁パネルどうしを接着剤や釘打ちに加えて、ボルトによっても接合している（例えば特許文献１参照）。
【先行技術文献】
【特許文献】
【０００４】
【特許文献１】特開２００３−４１６７２号公報
【発明の概要】
【発明が解決しようとする課題】
【０００５】
上記のように建築現場で壁パネルどうしをボルトによって接合する場合、建築現場で、壁パネルの面材に、ボルト挿入用およびボルト締付けのための工具挿入用の穴を形成するとともに、壁パネルの側端面を形成する縦框材にボルトを挿通するための貫通孔を形成したうえで、これら壁パネルどうしの側端面を突きあせて接着剤によって接着するとともに、釘打ちを行い、さらに、面材に形成された穴からボルトを壁パネル内に挿入したうえで、縦框材に形成された貫通孔にこのボルトを挿通し、さらに、このボルトにナット螺合して締め付けることによって壁パネルどうしを接合するので、これら一連の作業に非常に手間がかかっていた。
また、壁パネルの表面（面材の表面）に予め工場等によって外装材を取り付けておけば、建築現場での外装材の取り付け作業を省略できるが、建築現場でボルトによって壁パネルどうしを接合する場合、壁パネルの面材に、ボルトを挿入用および工具挿入用（ボルト締付用）の穴を形成する必要があるため、この穴を含む周囲の部分には、外装材を取り付けておくことができず、建築現場でこの部分に外装材を取り付けなければならならないので、手間がかかる。
【０００６】
本発明は上記事情に鑑みてなされたもので、建築現場での壁パネルどうしのボルトによる接合作業が不要となる接合壁パネルおよび接合壁パネルの結合構造を提供することを課題としている。
【課題を解決するための手段】
【０００７】
上記課題を解決するために、請求項１に記載の発明は、例えば図１に示すように、框材を矩形枠状に組み立ててなる矩形枠の両面に面材が取り付けられた壁パネル３，４どうしを予め横方向に接合してなる接合壁パネル１において、
隣り合う壁パネル３，４の側端面を形成する框材３ａ，４ａどうしが、該框材３ａ，４ａを貫通するボルト５によって結合されていることを特徴とする。
【０００８】
請求項１に記載の発明によれば、隣り合う壁パネル３，４の側端面を形成する框材３ａ，４ａどうしが予めボルト５によって結合されているので、建築現場でのボルト５による壁パネル３，４接合作業が不要となる。
また、建築現場でのボルト５による壁パネル３，４の接合作業が不要なので、接合壁パネル１に予め外装材を取り付けておくことができる。
【０００９】
請求項２に記載の発明は、例えば図２に示すように、請求項１に記載の接合壁パネル２において、
隣り合う前記壁パネル７，８間に、該壁パネル７，８の高さ方向に延在する構造材１０が設けられており、
隣り合う壁パネル７，８の側端面を形成する框材７ａ，８ａどうしが、該框材７ａ，８ａおよび前記構造材１０を貫通するボルト１２によって結合されていることを特徴とする
【００１０】
請求項２に記載の発明によれば、隣り合う壁パネル７，８の側端面を形成する框材７ａ，８ａどうしが、該框材７ａ，８ａおよび前記構造材１０を貫通するボルト１２によって結合されているので、この構造材１０と両壁パネル７，８とが一体化され、よって接合壁パネル２の強度を高めることができる。つまり、接合壁パネル２はその幅方向中間部に、上下に延在する構造材１０が設けられた構造となるので、接合壁パネル２の強度を高めることができる。
また、構造材１０の太さを調整することによって、接合壁パネル２の左右の幅を調整できる。
【００１１】
請求項３に記載の発明は、請求項２に記載の接合壁パネル２において、
前記構造材１０の上端面を、前記隣り合う壁パネル７，８のうちの少なくともいずれか一方の壁パネル７の上端面より低くすることによって、前記構造材１０の上端面に、梁を受ける梁受部１５が設けられていることを特徴とする。
【００１２】
請求項３に記載の発明によれば、構造材１０の上端面に梁受部１５が設けられているので、この梁受部１５が設けられた接合壁パネル２を建築現場で躯体を構成する壁パネル２１に結合することによって、躯体を構成する壁の所定の位置に梁受部１５を設けることができる。
【００１３】
請求項４に記載の発明は、請求項１〜３のいずれか一項に記載の接合壁パネルにおいて、
上端面に、上辺部を屋根勾配に合せて傾斜面とした三角形状の屋切パネル１１が取り付けられていることを特徴とする。
【００１４】
請求項４に記載の発明によれば、上端面に、上辺部を屋根勾配に合せて傾斜面とした三角形状の屋切パネル１１が取り付けられているので、この屋切パネルが取り付けられた接合壁パネル２を建築現場で躯体を構成する壁パネル２１に結合することによって、躯体を構成する壁の所定の位置に屋切パネル１１を設けることができる。
【００１５】
請求項５に記載の発明は、例えば図３〜図５に示すように、請求項１〜４のいずれか一項に記載の接合壁パネル１（２）を、建物の躯体に結合する接合壁パネルの結合構造において、
前記躯体を構成する壁パネル２１に、前記接合壁パネル１（２）がその表面を前記壁パネル２１の表面と面一にして結合されており、
前記接合壁パネル１（２）に前記躯体を構成する他の壁パネル２２（２４）が直角に結合されており、
前記接合壁パネル１（２）の、前記他の壁パネル２２（２４）が直角に結合された部位より、前記壁パネル２１と反対側の部分が突出壁２３（２５）を構成していることを特徴とする。
【００１６】
請求項５に記載の発明によれば、前記接合壁パネル１（２）の、前記他の壁パネル２２（２４）が直角に結合された部位より、前記壁パネル２１と反対側の部分が突出壁２３（２５）を構成しているので、建築現場でのボルトによる接合作業を行うことなく、突出壁を２３（２５）形成できる。
【発明の効果】
【００１７】
本発明によれば、隣り合う壁パネルの側端面を形成する框材どうしが予めボルトによって結合されているので、建築現場でのボルトによる壁パネルどうしの接合作業が不要となる。
また、建築現場でのボルトによる壁パネルどうしの接合作業が不要なので、接合壁パネルに予め外装材を取り付けておくことができる。
さらに、前記接合壁パネルの、前記他の壁パネルが直角に結合された部位より、前記壁パネルと反対側の部分が突出壁を構成しているので、建築現場でのボルトによる接合作業を行うことなく、突出壁を形成できる。
【図面の簡単な説明】
【００１８】
【図１】本発明に係る接合壁パネルの一例を示す示す正面図である。
【図２】本発明に係る接合壁パネルの他の例を示す示す正面図である。
【図３】本発明に係る接合壁パネルの結合構造の一例を示すもので、建物の妻側の外壁の正面図である。
【図４】図３におけるＡ−Ａ線断面図である。
【図５】図３におけるＢ−Ｂ線断面図である。
【発明を実施するための形態】
【００１９】
以下図面を参照して本発明の実施の形態について説明する。
図１は本発明に係る接合壁パネル１を示す正面図、図２は本発明に係る接合壁パネル２を示す正面図である。
図１に示す接合壁パネル１は、壁パネル３，４どうしを工場等において予め横方向に接合してなるものである。
壁パネル３は、縦框材３ａと横框材３ｂとを矩形枠状に組み立ててなる矩形枠内に補強桟材３ｃを横方向に組み付け、さらに矩形枠の両面に合板等からなる面材３ｄを取り付けて構成されている。
また、壁パネル４は、縦框材４ａと横框材４ｂとを矩形枠状に組み立ててなる矩形枠内に補強桟材４ｃを縦横に組み付け、さらに矩形枠の両面に合板等からなる面材４ｄを取り付けて構成されている。
【００２０】
前記壁パネル３は壁パネル４より高さが低くなっており、これによって、接合壁パネル１の上端面には段差が形成されている。
隣り合う壁パネル３，４の側端面を形成する縦框材３ａ，４ａどうしが接着剤によって接着されるとともに、縦框材３ａ，４ａを貫通するボルト５によって結合されている。
縦框材３ａ，４ａには、貫通孔が同軸に形成されており、この貫通孔にボルト５が挿通され、ボルト５の他端部にナット６を螺合して締め付けることによって、框材３ａ，４ａどうしが結合されている。なお、図示は省略するが、壁パネル３，４の接合部において、一方の壁パネル３（４）の面材３ｄ（４ｄ）から縦框材３ａ（４ａ）を貫通して他方の壁パネル４（３）の縦框材４ａ（３ａ）まで釘が斜め打ちされている。これによっても、壁パネル３，４どうしが接合されている。つまり、壁パネル３，４は、接着剤、ボルト５、釘打ちの３つの手段によって接合されている。
【００２１】
壁パネル３，４の面材３ｄ，４ｄの縁部には、穴３ｅ，４ｅが前記ボルト５の位置に対応して上下に所定間隔で３つ形成されている。この穴３ｅ，４ｅは、ボルト挿入用およびボルト締付けのための工具挿入用の穴である。そして、ボルト５は、一方の穴４ｅから壁パネル４内に挿入されたうえで、縦框材３ａ，４ａに形成された貫通孔に挿通されて、先端部は穴３ｅに臨んでいる。一方、ナット６は他方の穴３ｅから壁パネル３内に挿入されたうえで、穴３ｅに臨んでいるボルト５の先端部に螺合される。そして、穴３ｅ，４ｅからスパナ等の工具を挿入して、ボルト５をナット６に螺合していき、締め付けることによって、縦框材３ａ，４ｅが強固に結合される。
なお、このようなボルト５とナット６による結合は、面材３ｄ，４ｄを矩形枠に取り付ける前に行ってもよい。このようにすると、面材３ｄ，４ｄに穴３ｅ，４ｅを形成しなくてもよい。但し、ボルト５が緩んだ際に、再締め付けが行えるように、面材３ｄ，４ｄに穴３ｅ，４ｅを形成しておくほうが望ましい。
【００２２】
図２に示す接合壁パネル２は、工場等において予め壁パネル７，８どうしを構造材１０を挟んで横方向に接合し、さらに、壁パネル８の上端面に屋切パネル１１を接合してなるものである。
壁パネル７は、縦框材７ａと横框材７ｂとを矩形枠状に組み立ててなる矩形枠内に補強桟材７ｃを横方向に組み付け、さらに矩形枠の両面に合板等からなる面材７ｄを取り付けて構成されている。
また、壁パネル８は、縦框材８ａと横框材８ｂとを矩形枠状に組み立ててなる矩形枠内に補強桟材８ｃを横方向に組み付け、さらに矩形枠の両面に合板等からなる面材８ｄを取り付けて構成されている。
【００２３】
前記壁パネル８は壁パネル７より高さが低くなっており、これによって、接合壁パネル２の上端面には段差が形成されている。
また、隣り合う壁パネル７，８の側端面間に、上下に延在する構造材１０が介在されており、この構造材１０の一方の側面に壁パネル７の側端面（縦框材７ａの側面）が接着剤によって接着され、構造材１０の他方の側面に壁パネル８の側端面（縦框材８ａの側面）が接着剤によって接着されている。
また、前記壁パネル７，８の、結合される縦框材７ａ，８ａおよび構造材１０には貫通孔が同軸に形成されており、この貫通孔にボルト１２が挿通され、ボルト１２の他端部にナット１３を螺合して締め付けることによって、框材７ａ，８ａどうしが構造材１０を挟んで結合されている。なお、図示は省略するが、壁パネル７，８と構造材１０との接合部において、壁パネル７，８の面材７ｄ，８ｄから縦框材７ａ，８ａを貫通して構造材１０まで釘が斜め打ちされている。これによっても、壁パネル７，８どうしが構造材１０を挟んで接合されている。つまり、壁パネル７，８は、接着剤、ボルト１２、釘打ちの３つの手段によって構造材１０を挟んで接合されている。
【００２４】
壁パネル７，８の面材７ｄ，８ｄの縁部には、穴７ｅ，８ｅが前記ボルト１２の位置に対応して上下に所定間隔で３つ形成されている。この穴７ｅ，８ｅは、ボルト挿入用およびボルト締付け用の工具挿入用の穴である。そして、ボルト１２は、一方の穴８ｅから壁パネル８内に挿入されたうえで、縦框材７ａ，８ａおよび構造材１０に形成された貫通孔に挿通されて、先端部は穴７ｅに臨んでいる。一方、ナット１３は他方の穴７ｅから壁パネル７内に挿入されたうえで、穴７ｅに臨んでいるボルト１２の先端部に螺合される。そして、穴７ｅ，８ｅからスパナ等の工具を挿入して、ボルト１２をナット１３に螺合していき、締め付けることによって、縦框材７ａ，８ａが構造材１０を挟んで強固に結合される。
なお、このようなボルト１２とナット１３による結合は、面材７ｄ，３ｄを矩形枠に取り付ける前に行ってもよい。このようにすると、面材７ｄ，３ｄに穴７ｅ，８ｅを形成しなくてもよい。但し、ボルト１２が緩んだ際に、再締め付けが行えるように、面材７ｄ，８ｄに穴７ｅ，８ｅを形成しておくほうが望ましい。
【００２５】
また、前記構造材１０の上端面は、壁パネル７の上端面より低くなっており、これによって、構造材１０の上端面に、梁を受ける梁受部１５が設けられている。
また、壁パネル８の上端面には、上辺部を屋根勾配に合せて傾斜面とした三角形状の屋切パネル１１が取り付けられている。この屋切パネル１１は桟材を直角三角形状に組み立ててなる三角形枠の両面に合板等からなる面材を取り付けて構成されてものであり、その斜辺部（上辺部）が屋根勾配に合せて傾斜した傾斜面となっている。
また、屋切パネル１１の底辺部の長さは壁パネル８の幅と等しくなっており、この底辺部が壁パネル８の上端面に接着剤や釘打ちによって接合されている。この状態において、屋切パネル１１の上端部は壁パネル７の上端面より上方に突出している。また、屋切パネル１１の鉛直辺部は前記壁パネル７の側端面の上端部と平行に対向しており、これによって、前記梁受部１５は、屋切パネル１１の鉛直辺部、構造材１０の上端面、壁パネル７の側端面上部とによって囲まれた凹状に形成されていている。
【００２６】
上記のような構成の接合壁パネル１，２は予め工場等で製造されたうえで、建築現場に搬送され、この建築現場で建物の躯体に結合される。なお、このような接合壁パネル１，２は、その表面に外装材を予め工場等で取り付けて、建築現場に搬送してもよいし、外装材を取り付けないで搬送してもよい。
図３は、建物の躯体の一部である、一方の妻側の外壁を示す正面図である。
図３に示すように、土台（半土台）２０上には、複数の壁パネル２１・・・を横方向に接合することによって、１階の一方の妻側の外壁の殆どが構築されている。
この１階の外壁の右側に前記接合壁パネル１が結合され、左側に前記接合壁パネル２が結合されている。なお、図３において、これら接合壁パネル１，２には、斜線を記載してある。また、これら接合壁パネル１，２は土台２０に設置されている。
【００２７】
前記接合壁パネル１は、図４に示すように、前記躯体を構成する壁パネル２１に、これらの表面を面一にして結合されている。この結合は、接合壁パネル１の縦框材４ａで形成された側端面を、壁パネル２１の縦框材２１ａで形成された側端面に接着剤によって接着するとともに、接合壁パネル１の面材４ｄから縦框材４ａを貫通して、壁パネル２１の縦框材２１ａに釘を斜め打ちし、かつ、壁パネル２１の面材２１ｄから縦框材２１ａを貫通して、接合壁パネル１の縦框材４ａに釘を斜め打ちすることによって、行われている。
また、前記接合壁パネル１に、前記躯体を構成する他の壁パネル２２が直角に結合されている。他の壁パネル２２は、建物の一方の平側の外壁の側端部を構成するものであり、その縦框材２２ａで形成された側端面を接合壁パネル１の壁パネル３，４の接合部に当接したうえで、接着剤によって接着するとともに、壁パネル２２の面材２２ｄから縦框材２２ａを貫通して壁パネル３，４の縦框材３ａ，４ａに釘を斜め打ちすることによって、接合壁パネル１に直角に結合されている。
そして、接合壁パネル１の、前記他の壁パネル２２が直角に結合された部位より、前記壁パネル２１と反対側の部分が突出壁２３を構成している。
【００２８】
前記接合壁パネル２は、図５に示すように、前記躯体を構成する壁パネル２１に、これらの表面を面一にして結合されている。この結合は、接合壁パネル２の縦框材７ａで形成された側端面を、壁パネル２１の縦框材２１ａで形成された側端面に接着剤によって接着するとともに、接合壁パネル２の面材７ｄから縦框材７ａを貫通して、壁パネル２１の縦框材２１ａに釘を斜め打ちし、かつ、壁パネル２１の面材２１ｄから縦框材２１ａを貫通して、接合壁パネル２の縦框材７ａに釘を斜め打ちすることによって、行われている。
また、前記接合壁パネル２に、前記躯体を構成する他の壁パネル２４が直角に結合されている。他の壁パネル２４は、建物の他方の平側の外壁の側端部を構成するものであり、その縦框材２４ａで形成された側端面を接合壁パネル２と壁パネル２１の接合部に当接したうえで、接着剤によって接着するとともに、壁パネル２４の面材２４ｄから縦框材２４ａを貫通して接合壁パネル２の縦框材７ａと壁パネル２１の縦框材２１ａに釘を斜め打ちすることによって、接合壁パネル２に直角に結合されている。
そして、接合壁パネル２の、前記他の壁パネル２４が直角に結合された部位より、前記壁パネル２１と反対側の部分が突出壁２５を構成している。
【００２９】
図３に示すように、前記接合壁パネル１の壁パネル３の上端部には、上辺部を屋根勾配に合せて傾斜面とした屋切パネル２６が建築現場で接合されており、上辺部は、１階の外壁と２階の外壁との間に設けられた胴差２７の端部より外側で、該胴差２７より上方に突出している。また、接合壁パネル１の壁パネル４および前記複数の壁パネル２１の上端面には胴差２７と２階の床の端部が設置されている。そして、この胴差２７と２階の床の端部に２階の外壁を構成する複数の壁パネルが設置されている。
また、前記接合壁パネル２の壁パネル７の上端面には、胴差２７の端部が設置されており、接合壁パネル２の屋切パネル１１の上辺部は、胴差２７の端部より外側で、該胴差２７より上方に突出している。
また、接合壁パネル２に設けられた梁受部１５には、梁３０の端部がはめ込まれており、この梁３０の端部に前記胴差２７の端部や２階の床の端部が設置されている。
【００３０】
本実施の形態によれば、接合壁パネル１が、隣り合う壁パネル３，４の側端面を形成する縦框材３ａ，３ｂどうしが予め接着剤によって接着されるとともにボルト５によって結合された構成となっているので、この接合壁パネル１を建築現場で躯体に結合することによって、建築現場での壁パネル３，４どうしのボルト５による接合作業が不要となる。
また、建築現場でのボルト５による壁パネル３，４どうしの接合作業が不要なので、接合壁パネル１に予め外装材を取り付けておくことができる。
また、接合壁パネル２が、隣り合う壁パネル７，８間に、該壁パネル７，８の高さ方向に延在する構造材１０が設けられており、壁パネル７，８の側端面を形成する框材７ａ，８ａは前記構造材１０に接着されており、ボルト１２によって壁パネル７，８を構造材１０を挟んで結合した構成となっているので、この接合壁パネル２を建築現場で躯体に結合することによって、建築現場での壁パネル７，８どうしのボルト１２による接合作業が不要となるとともに、構造材１０と両壁パネル７，８とが一体化され、よって接合壁パネル２の強度を高めることができる。
【００３１】
さらに、構造材１０の上端面を、壁パネル７の上端面より低くするとともに、壁パネル８の上端面に屋切パネル１１を取り付けることによって、構造材１０の上端面に、梁３０を受ける梁受部１５が設けられているので、この梁受部１５が設けられた接合壁パネル２を建築現場で躯体を構成する壁パネル２１に結合することによって、躯体を構成する妻側の外壁の所定の位置に梁受部１５を設けることができる。そして、この梁受部１５に梁３０を嵌め込むことによって、梁３０を所定の位置で支持することができる。
また、接合壁パネル２の壁パネル８の上端面に、上辺部を屋根勾配に合せて傾斜面とした三角形状の屋切パネル１１が取り付けられているので、この接合壁パネル２を建築現場で躯体を構成する壁パネル２１に結合することによって、躯体を構成する妻側の外壁の所定の位置に屋切パネル１１を設けることができる。
また、躯体を構成する壁パネル２１に、接合壁パネル１（２）がその表面を壁パネル２１の表面と面一にして結合されており、接合壁パネル１（２）に躯体を構成する他の壁パネル２２（２４）が直角に結合されており、接合壁パネル１（２）の、前記他の壁パネル２２（２４）が直角に結合された部位より、前記壁パネル２１と反対側の部分が突出壁２３（２５）を構成しているので、建築現場でのボルトによる接合作業を行うことなく、突出壁２３（２５）を形成できる。
【符号の説明】
【００３２】
１，２  接合壁パネル
３，４，７，８  壁パネル
５，１２  ボルト
１０  構造材
１１  屋切パネル
１５  梁受部
２１  壁パネル
２２，２４  他の壁パネル
２３，２５  突出壁
【図１】
2010255235.tif 000003
【図２】
2010255235.tif 000004
【図３】
2010255235.tif 000005
【図４】
2010255235.tif 000006
【図５】
2010255235.tif 000007